(57)【要約】【課題】従来よりも迅速かつ確実にスケジュール管理データを入手および登録できるカード利用自己管理システムおよびプログラム、スケジュール管理機能付き情報端末を提供する。【解決手段】カード利用者のアドレスやカード利用状況を含むデータベースと、利用者へ電子メールを送信するサーバーと、を有するホストコンピュータに利用者の情報端末が接続可能であり、情報端末は、サーバーから送信されたメールを受信した際にカード利用状況データが含まれているか否かを検索および判定し、受信メールにカード利用状況データが含まれていた場合に該データをスケジュール管理データとして自動作成し登録する。【選択図】図３
2007257340.tif 000002
【特許請求の範囲】
【請求項１】
カード利用状況を利用者の指定電子メールアドレス宛に自動送信し、利用者側で自己管理を行えるようにしたカード利用自己管理システムにおいて、
カード利用者のアドレスやカード利用状況を含むデータベースと、利用者へ電子メールを送信するサーバーと、を有するホストコンピュータに利用者の情報端末が接続可能であり、
前記情報端末は、サーバーから送信されたメールを受信した際にカード利用状況データが含まれているか否かを検索および判定し、受信メールにカード利用状況データが含まれていた場合に該データをスケジュール管理データとして自動作成し登録する、
ことを特徴とするカード利用自己管理システム。
【請求項２】
前記情報端末は、前記自動作成し登録されたスケジュール管理データにおいて、管理を要する項目の１つまたは複数を選択しスケジュール管理条件として設定登録可能である、ことを特徴とする請求項１記載のカード利用自己管理システム。
【請求項３】
前記情報端末は、前記スケジュール管理条件に関連付けてアラームまたは表示可能である、ことを特徴とする請求項１または２記載のカード利用自己管理システム。
【請求項４】
カード利用状況を利用者の指定電子メールアドレス宛に自動送信し、利用者側で自己管理を行えるようにしたカード利用自己管理システムにおいて、
カード利用者のアドレスやカード利用状況を含むデータベースと、利用者へ電子メールを送信するサーバーと、を有するホストコンピュータに利用者の情報端末が接続可能であり、
前記情報端末は、
データを入力する手段と、
電子メールを送受信する手段と、
受信メールにカード利用状況データが含まれているか否かを検索し判定する手段と、
受信メールにカード利用状況データが含まれていた場合に該データをスケジュール管理データとして自動作成し登録する手段と、
前記登録されたスケジュール管理データにおいて管理を要する項目の１つまたは複数を選択しスケジュール管理条件として設定登録する手段と、
前記スケジュール管理条件に関連付けてアラームおよび表示する手段と、
メールデータ、スケジュール管理データおよびスケジュール管理条件データを記憶するデータ記憶手段と、
前記各手段を制御する手段と、
を備えることを特徴するカード利用自己管理システム。
【請求項５】
前記スケジュール管理データを自動作成し登録する手段は、スケジュール管理条件を設定登録可能である、ことを特徴とする請求項１ないし４記載のカード利用自己管理システム。
【請求項６】
前記スケジュール管理条件は、利用金額の支払期日および限度額である、ことを特徴とする請求項２ないし５記載のカード利用自己管理システム。
【請求項７】
カード利用者のアドレスやカード利用状況を含むデータベースと、利用者へ電子メールを送信するサーバーと、を有するホストコンピュータに接続可能な情報端末であって、
データの入力手段および表示手段と、
メール送受信手段と、
受信メールにカード利用状況データが含まれているか否かを検索し判定する検索判定手段と、
前記検索判定手段により受信メールにカード利用状況データが含まれていた場合にそれをスケジュール管理データとして自動作成し登録するスケジュール管理手段と、
前記スケジュール管理手段に登録されたスケジュール管理データにおいて、管理を要する項目の１つまたは複数を選択しスケジュール管理条件として設定登録可能なスケジュール管理条件設定手段と、
メール送受信手段、スケジュール管理手段及びスケジュール管理条件設定手段のデータを記憶するデータ記憶手段と、
前記スケジュール管理条件に関連付けてアラームする警報手段と、
前記各手段を制御する制御手段と、
を備えることを特徴とする情報端末。
【請求項８】
前記スケジュール管理手段は、スケジュール管理条件を設定登録可能である、ことを特徴とする請求項７記載の情報端末。
【請求項９】
前記スケジュール管理条件は、利用金額の支払期日および限度額である、ことを特徴とする請求項７または８記載の情報端末。
【請求項１０】
カード利用者のアドレスやカード利用状況を含むデータベースと利用者へ電子メールを送信するサーバーとを有するホストコンピュータに接続可能な情報端末を制御するためのカード利用自己管理プログラムであって、
前記プログラムは、
電子メールを受信および該受信メールをデータ記憶手段に記憶するステップと、
前記受信メールの中にカード会社からのカード利用状況データが含まれているか否かを検索し判定するステップと、
前記検索判定の結果、カード利用状況データが含まれていた場合に当該データをスケジュール管理データとしてスケジュール管理手段に自動作成し登録するステップと、
前記自動作成し登録されたスケジュール管理データにおいて管理を要する項目の１つまたは複数を選択しスケジュール管理条件として設定登録するステップと、
前記スケジュール管理データおよびスケジュール管理条件データを記憶するステップと、
前記記憶されたスケジュール管理データから利用金額の累計を算出するステップと、
前記累計に基づき限度額警告通知の要否を判定するステップと、
支払期日警告通知の要否を判定するステップと、
前記限度額警告通知または支払期日警告通知が要と判定された場合にアラームおよび表示により通知を行うステップと、
を含むことを特徴とするカード利用自己管理プログラム。
【発明の詳細な説明】
【技術分野】
【０００１】
本発明は、カード利用自己管理システムおよびプログラム、スケジュール管理機能付き情報端末に関し、特に受信メールにカード利用状況データが含まれているか否かを検索し判定して該データが含まれていた際に、スケジュール管理データとして自動作成し登録するものである。
【背景技術】
【０００２】
クレジットカードおよびキャッシュカード等の利用は非常に頻繁になってきており、複数枚のカードを所有しそれらを併用する利用者も少なくない。このような現況のもと、カード決済の自己管理を行う際は従来、カード会社から利用者に対して、利用日時、利用内容または利用場所、利用金額、支払期日または引落し日等が記載された明細書がたいてい一ヶ月毎に郵送され、利用者はこの明細書を参照し確認することで利用金額や支払期日等の自己管理を行っていた。しかしながら、上述のようにカードを複数枚も所有している利用者に対しては、それぞれのカード会社からこのような明細書が毎月いくつも送付されてくることになる。また、利用者はたいてい一ヶ月毎に明細内容を知ることとなるので、カード利用の度に領収書などを保管して自ら積極的に利用金額の管理をしなければ、知らないうちに過剰な金額を利用してしまうことにもなりかねない。このように従来の自己管理は、非常に煩雑かつ面倒であり、過剰な金額を利用した結果金額が不足し、挙句には支払期日も忘れてしまって引き落としができなくなるというケースもある。
【０００３】
そこで特許文献１では、クレジットカード利用者がカードを利用した際に、クレジットカード会社がその旨を利用者の携帯電話等のメールアドレスに自動送信通知するシステムが開示されており、このメールを受信した利用者は利用内容を確認することにより自己管理ができるようになっている。
【０００４】
また一方で、最近の携帯電話は、電子メール機能やスケジュール機能を持ったものが普及しており、特許文献２記載の携帯電話機によれば、電子メール機能部で受信したメールを必要がある場合のみスケジュール機能部に記憶させ、スケジュール機能部にて電子メール受信日の日付や後日必要とされる日付に記憶させ、この日付をキーとして指定することにより電子メールの内容を参照することができる。
【０００５】
【特許文献１】特開２００５−３３９４８７号公報
【特許文献２】特開２００５−２５０６０５号公報
【発明の開示】
【発明が解決しようとする課題】
【０００６】
しかしながら特許文献１では、クレジットカード会社から自動送信されたメールは利用者の携帯電話のメール機能部に記憶されるだけで、利用者は単にメール機能部にて受信メールを参照することでしか自己管理を行うことができない。また、特許文献２では、メール機能部に記憶された受信メールをスケジュール機能部に記憶（貼付け）することが可能であるが、スケジュール機能部において単にメール内容を日付の指定により読み出すことができるだけで、いずれにしても従来は、受信メールを単に参照するだけの自己管理しかできない。
【０００７】
一方、利用者のアドレスデータベースを所有しているカード会社は、通常、カード利用状況メールはもとより様々な広告メールを送信してくる可能性が考えられる。また、カード会社に限らず、その他第３者からのメールなど多数のメールを受信することは今日では日常的である。これらの雑多な受信メールから自己管理を必要とするメールをその度毎に選択し参照することは、非常に煩雑かつ面倒であり、迅速なスケジュール管理を困難とする。従って、常に受信メールをチェックするなどして自ら積極的に自己管理を行わない限り、受信メールを確認しそびれて確実なスケジュール管理を行うことができず、おのずと自己管理が疎かになる恐れがある。この結果、過剰な金額の利用をしてしまったり、また支払期日を忘れてしまったりすることになりかねない。
【０００８】
本発明は、かかる従来の問題に鑑みなされたもので、その目的の１つは、従来よりも迅速かつ確実にスケジュール管理データを入手および登録できるカード利用自己管理システムおよびプログラムを提供することにある。
【０００９】
本発明のさらに別の目的は、スケジュール管理部にてスケジュール管理データを従来よりも迅速かつ確実に入手および登録できるスケジュール管理機能付き情報端末を提供することにある。
【００１０】
また、本発明のさらに別の目的は、限度額を超えての利用や支払い金額不足または支払い忘れなどを未然に防ぐことができるカード利用自己管理システムおよびプログラム、スケジュール管理機能付き情報端末を提供することにある。
【課題を解決するための手段】
【００１１】
本発明は上記目的を達成すべく、まず請求項１記載の発明によるカード利用自己管理システムは、カード利用状況を利用者の指定電子メールアドレス宛に自動送信し、利用者側で自己管理を行えるようにしたカード利用自己管理システムにおいて、
カード利用者のアドレスやカード利用状況を含むデータベースと、利用者へ電子メールを送信するサーバーと、を有するホストコンピュータに利用者の情報端末が接続可能であり、
前記情報端末は、サーバーから送信されたメールを受信した際にカード利用状況データが含まれているか否かを検索および判定し、受信メールにカード利用状況データが含まれていた場合に該データをスケジュール管理データとして自動作成し登録することを特徴とする。
【００１２】
また、請求項２記載の発明は、請求項１記載のものにおいて、前記情報端末は、前記自動作成し登録されたスケジュール管理データにおいて、管理を要する項目の１つまたは複数を選択しスケジュール管理条件として設定登録可能であることを特徴とする。
【００１３】
請求項３記載の発明は、請求項１または２記載のものにおいて、前記情報端末は、前記スケジュール管理条件に関連付けてアラームまたは表示可能であることを特徴とする。
【００１４】
請求項４記載の発明は、カード利用状況を利用者の指定電子メールアドレス宛に自動送信し、利用者側で自己管理を行えるようにしたカード利用自己管理システムにおいて、
カード利用者のアドレスやカード利用状況を含むデータベースと、利用者へ電子メールを送信するサーバーと、を有するホストコンピュータに利用者の情報端末が接続可能であり、
前記情報端末は、データを入力する手段と、電子メールを送受信する手段と、受信メールにカード利用状況データが含まれているか否かを検索し判定する手段と、受信メールにカード利用状況データが含まれていた場合に該データをスケジュール管理データとして自動作成し登録する手段と、前記登録された該スケジュール管理データにおいて管理を要する項目の１つまたは複数を選択しスケジュール管理条件として設定登録する手段と、前記スケジュール管理条件に関連付けてアラームおよび表示する手段と、メールデータ、スケジュール管理データおよびスケジュール管理条件データを記憶するデータ記憶手段と、前記各手段を制御する手段と、を備えることを特徴する。
【００１５】
請求項５記載の発明は、請求項１ないし４記載のものにおいて、前記スケジュール管理データを自動作成し登録する手段は、スケジュール管理条件を設定登録可能であることを特徴とする。
【００１６】
請求項６記載の発明は、請求項２ないし５記載のものにおいて、前記スケジュール管理条件は、利用金額の支払期日および限度額であることを特徴とする。
【００１７】
また、請求項７記載の発明による情報端末は、カード利用者のアドレスやカード利用状況を含むデータベースと、利用者へ電子メールを送信するサーバーと、を有するホストコンピュータに接続可能な情報端末であって、
データの入力手段および表示手段と、メール送受信手段と、受信メールにカード利用状況データが含まれているか否かを検索し判定する検索判定手段と、前記検索判定手段により受信メールにカード利用状況データが含まれていた場合にそれをスケジュール管理データとして自動作成し登録するスケジュール管理手段と、前記スケジュール管理手段に登録されたスケジュール管理データにおいて、管理を要する項目の１つまたは複数を選択しスケジュール管理条件として設定登録可能なスケジュール管理条件設定手段と、メール送受信手段、スケジュール管理手段及びスケジュール管理条件設定手段のデータを記憶するデータ記憶手段と、前記スケジュール管理条件に関連付けてアラームする警報手段と、前記各手段を制御する制御手段とを備えることを特徴とする。
【００１８】
請求項８記載の発明による情報端末は、請求項７記載のものにおいて、前記スケジュール管理手段は、スケジュール管理条件を設定登録可能であることを特徴とする。
【００１９】
請求項９記載の発明は、請求項７または８記載のものにおいて、前記スケジュール管理条件は、利用金額の支払期日および限度額であることを特徴とする。
【００２０】
請求項１０記載の発明によるカード利用自己管理プログラムは、カード利用者のアドレスやカード利用状況を含むデータベースと利用者へ電子メールを送信するサーバーとを有するホストコンピュータに接続可能な情報端末を制御するためのカード利用自己管理プログラムであって、
前記プログラムは、電子メールを受信および該受信メールをデータ記憶手段に記憶するステップと、前記受信メールの中にカード会社からのカード利用状況データが含まれているか否かを検索し判定するステップと、前記検索判定の結果、カード利用状況データが含まれていた場合に当該データをスケジュール管理データとしてスケジュール管理手段に自動作成し登録するステップと、前記自動作成し登録されたスケジュール管理データにおいて管理を要する項目の１つまたは複数を選択しスケジュール管理条件として設定登録するステップと、前記スケジュール管理データおよびスケジュール管理条件データを記憶するステップと、前記記憶されたスケジュール管理データから利用金額の累計を算出するステップと、前記累計に基づき限度額警告通知の要否を判定するステップと、支払期日警告通知の要否を判定するステップと、前記限度額警告通知または支払期日警告通知が要と判定された場合にアラームおよび表示により通知を行うステップ、とを含むことを特徴とする。
【発明の効果】
【００２１】
本発明のカード利用自己管理システムおよびプログラムによれば、従来よりも迅速かつ確実にスケジュール管理データを入手および登録でき、さらに該スケジュール管理データに対して、利用金額の限度額や支払期日などをスケジュール管理条件として任意に選択し設定登録することで、限度額を超えての利用や支払い金額不足または支払い忘れなどの予見や予防を行うことができる。
【００２２】
また、本発明のスケジュール管理機能付き情報端末によれば、スケジュール管理部にてスケジュール管理データを従来よりも迅速かつ確実に入手および登録でき、さらに該スケジュール管理データに対して、利用金額の限度額や支払期日などをスケジュール管理条件として任意に選択し設定登録することで、限度額を超えての利用や支払い金額不足または支払い忘れなどの予見や予防を行うことができる。
【発明を実施するための最良の形態】
【００２３】
以下、本発明の実施の形態について図面を参照して詳細に説明する。
【００２４】
本発明のカード利用自己管理システムの概略構成が図１に示されている。同図に示されるように、利用者１の情報端末としての携帯電話１１が、カード会社２の所有するホストコンピュータ２０と接続され、これらは携帯電話会社３の基地局３３を介して互いにデータ交信可能となっている。カード会社２が所有するホストコンピュータ２０は、利用者１が指定した電子メールアドレスデータや利用者１がカードを利用した際の利用状況データなどを蓄積したデータベース２１と、利用者１へ電子メールを送信するサーバー２２とを備える。
【００２５】
利用者１が買い物などのためカード取扱店５でカードを利用すると、その度毎に、ホストコンピュータ２０はカード認証を行ったうえでカード利用状況データを作成し、サーバー２２により利用者の携帯電話１１へ電子メールとして送信する。なお、この電子メールの送信は携帯電話会社３の基地局３３を介して行われる。
【００２６】
図２は、本発明の情報端末の一実施形態である携帯電話の概略構成を示す図である。本実施の形態の携帯電話は、操作ボタン等の入力部１１８および表示部１２０を有し、携帯電話会社３の上記基地局３３から送信された無線データを電子メールとして受信するアンテナ１１１およびメール送受信部１１２と、受信されたメールにカード会社からのカード利用状況データが含まれているか否かを検索および判定する検索判定部１１４と、検索判定部１１４により受信メールを検索判定した結果、カード利用状況データが含まれていた場合にこれをスケジュール管理データとして自動作成し登録するスケジュール管理部１１５と、スケジュール管理部で自動作成され登録されたスケジュール管理データにおいて、管理を必要とする項目のうち、１つまたは複数を選択しスケジュール管理条件として設定登録可能なスケジュール管理条件設定部１１６と、メール送受信部１１２、スケジュール管理部１１５およびスケジュール管理条件設定部１１６におけるデータを記憶しておくデータ記憶部１１７と、設定登録されたスケジュール管理条件に関連付けてアラームする警報部１１９と、上記各手段の制御を行う制御部１１３と、から構成される。
【００２７】
次に上記構成による携帯電話で実行されるスケジュール管理の処理の流れを図３に示す。
【００２８】
メール送受信部１１２でメールが受信されると（ステップＡ１）、受信メールは、データ記憶部１１７に記憶される（ステップＡ２）。検索判定部１１４は、受信されたメールの中にカード会社からのカード利用状況データが含まれているか否かを検索し判定し（ステップＡ３〜Ａ４）、もし含まれている場合は当該データをスケジュール管理データとしてスケジュール管理部１１５に自動作成し登録する（ステップＡ５）。受信メールにカード利用状況データが含まれていないと判定された場合は新着メールを待機する。（ステップＡ６）。なお、受信メールの検索および判定のタイミングについては、メール送受信部と連動させて行うようにするとよい。
【００２９】
ここで図４は、図３のステップＡ５にて作成されたスケジュール管理データの一例を示す図である。表示画面には利用者がカードを利用した日時、利用内容（利用場所）、利用金額および支払期日等がカード会社毎に夫々表示される。
【００３０】
このスケジュール管理データにおいて、利用者が自己管理したい項目、たとえば利用金額や支払期日等をスケジュール管理条件として選択しスケジュール管理条件設定部１１６に予め設定し登録しておく（ステップＡ７）。この設定登録にあたっては、利用金額および支払期日の何れか１つでも、また、両方を同時に設定登録してもよい。ここで利用金額については、自己にとって都合の良い限度額を任意で設定しておく。なお、スケジュール管理部１１５がスケジュール管理条件設定部１１６を含むように構成して、上記スケジュール管理データの自動作成登録からスケジュール管理条件の設定登録までをスケジュール管理部１１５において同時に行えるようにしてもよい。
【００３１】
これらのスケジュール管理データおよびスケジュール管理条件データは、夫々データ記憶部に記憶される（ステップＡ８）。また、スケジュール管理部１１５には、図示しない算出手段を設けて、カード会社からカード利用状況データが送られてくる度に利用金額を累計し（ステップＡ９）、累計の結果、限度額警告通知が必要と判定された場合（ステップＡ１０）は、警報部１１９によりアラームする（ステップＡ１１）。これに対して入力部１１８により操作が行われた場合、すなわち何れかの操作ボタンが押された場合（ステップＡ１２）、アラームを停止し（ステップＡ１３）、表示部１２０に限度額警告表示が行われる（ステップＡ１４）。一方、支払期日警告通知が必要と判定された場合（ステップＡ１５）も同様な動作が行われる（ステップＡ１６〜Ａ１９）が、支払期日警告通知の判定にあたっては、携帯電話機のカレンダー機能と連動させるとよい。
【００３２】
図５にスケジュール管理条件設定部の表示例を示す。図５（Ａ）は限度額設定画面であり、限度額ＰＬは１０００円単位で自由に設定可能である。この例では限度額２００，０００円と入力されている。そして限度額警告通知を行う際の判定レベルは自己で選択できるようになっており、例えば上記図３のステップＡ９における利用金額の累計をＸとし、この例のように画面内の「Ｘ≧ＰＬ」を選択した場合は、限度額に到達および超過した際に限度額警告通知が行われることになる。一方、「Ｘ＝ＰＬ− 」を選択した場合は、限度額に近づいた際に限度額警告通知が行われることになる。上記同様に数値入力部分は１０００円単位で任意設定可能であり、いま限度額ＰＬが２００，０００と設定されている状態で、例えば１０，０００とすると、１９０，０００に到達した時点で限度額警告通知が行われることになる。
【００３３】
さらに、図５（Ｂ）は支払期日設定画面である。限度額設定の時と同様、支払期日警告通知を行う際の判定レベルも自己で自由に選択可能であり、この例では支払期日ＰＤを２００６年７月３１日と入力し、その判定レベルの設定として「Ｙ≧ＰＤ」を選択した場合は、その支払期日に到達および支払期日を過ぎた際に支払期日警告通知が行われることになる。一方、支払期日以前の日付としたい場合、この例のように「Ｙ＝２００６年０７月２６日」を選択して希望する任意の日付を入力すると、その指定日に支払期日警告通知が行われることになる。
【００３４】
なお、ここでは、スケジュール管理条件として限度額および支払期日を用いて説明したが、この限りではなく、例えば買い物ごとに貯まるポイント数やマイル数などをスケジュール管理条件としてもよく、この場合は自己の目標ポイントや目標マイル数などを予め設定しておいて、それに到達した時点で通知できるようにしてもよい。
【図面の簡単な説明】
【００３５】
【図１】本発明のカード利用自己管理システムの概略構成を示す図である。
【図２】本発明のスケジュール管理機能付き情報端末の一実施例である携帯電話の概略構成を示す図である。
【図３】図２に示した構成を有する携帯電話で実行されるスケジュール管理の処理の流れを示すフロー図である。
【図４】スケジュール管理部にて自動作成登録されたスケジュール管理データの一例を示す図である。
【図５】（Ａ）は、スケジュール管理条件設定部の表示例として、限度額設定画面を示し、（Ｂ）は、スケジュール管理条件設定部の表示例として、支払期日設定画面を示す。
【符号の説明】
【００３６】
１          利用者
２          カード会社
３          携帯電話会社
５          カード取扱店
１１        携帯電話
２０        ホストコンピュータ
２１        データベース
２２        サーバー
３３        基地局
１１１      アンテナ
１１２      メール送受信部
１１３      制御部
１１４      検索判定部
１１５      スケジュール管理部
１１６      スケジュール管理条件設定部
１１７      データ記憶部
１１８      入力部（操作ボタン）
１１９      警報部（スピーカ）
１２０      表示部（画面）
１２１      電池部
【図１】
2007257340.tif 000003
【図２】
2007257340.tif 000004
【図３】
2007257340.tif 000005
【図４】
2007257340.tif 000006
【図５】
2007257340.tif 000007